(57)【特許請求の範囲】
【請求項１】
筐体と、
前記筐体の内部に設けられ、半導体発光装置を含む電気部品と、
前記筐体の一端に取り付けられ、前記電気部品で発生した熱が伝わる熱伝導層と、
を含む発光部と、
前記電気部品から前記熱伝導層に向かう方向の軸の周りにおいて前記筐体の少なくとも一部を囲み、前記筐体の前記少なくとも一部の周りで前記軸を中心とした回転が可能とされた環状部と、
前記筐体及び前記環状部と前記軸に沿って当接し、前記環状部から前記筐体が引き抜かれないように、前記環状部の前記軸に沿った前記筐体との相対的な位置の変化を制限するストッパ部と、
を備え、
前記筐体は、前記少なくとも一部の外側面に設けられた凹状の筐体凹部を有し、
前記環状部は、前記環状部の内側面において前記筐体凹部と対向する凹状の環状部凹部を有し、
前記ストッパ部は、前記筐体凹部と前記環状部凹部との間の部分を有するストッパ部材を含むことを特徴とする照明装置。
【請求項２】
前記ストッパ部材の前記軸に対して垂直な方向に沿った幅は、前記筐体と前記環状部との間の間隙よりも大きいことを特徴とする請求項１記載の照明装置。
【請求項３】
前記ストッパ部材は、球体であることを特徴とする請求項２記載の照明装置。
【請求項４】
筐体と、
前記筐体の内部に設けられ、半導体発光装置を含む電気部品と、
前記筐体の一端に取り付けられ、前記電気部品で発生した熱が伝わる熱伝導層と、
を含む発光部と、
前記電気部品から前記熱伝導層に向かう方向の軸の周りにおいて前記筐体の少なくとも一部を囲み、前記筐体の前記少なくとも一部の周りで前記軸を中心とした回転が可能とされた環状部と、
前記筐体及び前記環状部と前記軸に沿って当接し、前記環状部から前記筐体が引き抜かれないように、前記環状部の前記軸に沿った前記筐体との相対的な位置の変化を制限するストッパ部と、
を備え、
前記ストッパ部は、前記少なくとも一部と前記熱伝導層との間に設けられたストッパ部材を含み、前記ストッパ部材は、前記軸に沿ってみたときに前記少なくとも一部よりも外側の部分を有し、
前記外側の部分の前記軸に対して垂直な方向に沿った一端から前記外側の部分の前記方向に沿った他端までの距離は、前記環状部のうちで前記少なくとも一部を囲む部分の前記方向に沿った幅よりも大きいことを特徴とする照明装置。
【請求項５】
筐体と、前記筐体の内部に設けられ、半導体発光装置を含む電気部品と、前記筐体の一端に取り付けられ前記電気部品で発生した熱が伝わる熱伝導層と、を含む照明装置を、構造体に取り付けるための照明装置用取り付け器具であって、
前記構造体に取り付けられる筒状部品であって、前記筒状部品は、下から上に向かう軸を取り囲む内側面の下部に設けられ、前記筐体の少なくとも一部の外側面と噛合する部分を有する前記筒状部品と、
前記筒状部品の上、及び、前記筒状部品の上部の内側の少なくともいずれかに設けられた部分を有し、前記熱伝導層を介して前記電気部品で発生した熱を放熱する放熱部と、
前記筒状部品及び前記放熱部と前記軸に沿って当接し、前記放熱部が前記筒状部品から取り外されないように、前記放熱部の前記軸に沿った前記筒状部品との相対的な位置の変化を制限しつつ、前記放熱部が前記筒状部品に対して前記軸を中心として回転可能とする器具ストッパ部と、
を備えたことを特徴とする照明装置用取り付け器具。
【請求項６】
前記放熱部は、前記放熱部の外側面に設けられた凹状の放熱部凹部を有し、
前記筒状部品は、前記筒状部品の内側面において前記放熱部凹部と対向する凹状の筒状部品凹部を有し、
前記器具ストッパ部は、前記放熱部凹部と前記筒状部品凹部との間の部分を有する器具ストッパ部材を含み、前記器具ストッパ部材の前記軸に対して垂直な方向に沿った幅は、前記放熱部と前記筒状部品との間の間隙よりも大きいことを特徴とする請求項５記載の照明装置用取り付け器具。
【請求項７】
前記器具ストッパ部材は球体であることを特徴とする請求項６記載の照明装置用取り付け器具。
【請求項８】
前記器具ストッパ部は、前記筒状部品の上部及び下部の少なくともいずれかに固定された器具ストッパ部材を含み、前記器具ストッパ部材の少なくとも一部は、前記放熱部の上面及び下面の少なくともいずれかに対向することを特徴とする請求項５記載の照明装置用取り付け器具。
【発明の詳細な説明】
【技術分野】
【０００１】
本発明の実施形態は、照明装置及び照明装置用取り付け器具に関する。
【背景技術】
【０００２】
ＬＥＤなどの半導体発光素子を用いた照明装置においては、発熱が製品寿命に大きく影響する。このため、効率の良い放熱機構が求められる。
【０００３】
一方、天井などに取り付けられるダウンライト型の照明装置においては、取り付け作業の簡便性が求められる。例えば、板バネなどを用いた支持具により、照明装置が天井などに取り付けられる。この構成は、取り付けが簡便であるが、照明装置と天井などとの熱的な密着性が低いため、放熱性が低い。  
取り付け作業が簡便で、高い放熱性を実現する構成が望まれている。
【先行技術文献】
【特許文献】
【０００４】
【特許文献１】特開２００８−２０４６９２号公報
【発明の概要】
【発明が解決しようとする課題】
【０００５】
本発明の実施形態は、取り付け作業が簡便で、高い放熱性を実現する照明装置及び照明装置用取り付け器具を提供する。
【課題を解決するための手段】
【０００６】
本発明の実施形態によれば、発光部と、環状部と、ストッパ部と、を備えた照明装置が提供される。前記発光部は、筐体と、前記筐体の内部に設けられ、半導体発光装置を含む電気部品と、前記筐体の一端に取り付けられ、前記電気部品で発生した熱が伝わる熱伝導層と、を含む。前記環状部は、前記電気部品から前記熱伝導層に向かう方向の軸の周りにおいて前記筐体の少なくとも一部を囲み、前記筐体の前記少なくとも一部の周りで前記軸を中心とした回転が可能である。前記ストッパ部は、前記筐体及び前記環状部と前記軸に沿って当接し、前記環状部から前記筐体が引き抜かれないように、前記環状部の前記軸に沿った前記筐体との相対的な位置の変化を制限する。前記筐体は、前記少なくとも一部の外側面に設けられた凹状の筐体凹部を有する。前記環状部は、前記環状部の内側面において前記筐体凹部と対向する凹状の環状部凹部を有する。前記ストッパ部は、前記筐体凹部と前記環状部凹部との間の部分を有するストッパ部材を含む。
本発明の別の実施形態によれば、発光部と、環状部と、ストッパ部と、を備えた照明装置が提供される。前記発光部は、筐体と、前記筐体の内部に設けられ、半導体発光装置を含む電気部品と、前記筐体の一端に取り付けられ、前記電気部品で発生した熱が伝わる熱伝導層と、を含む。前記環状部は、前記電気部品から前記熱伝導層に向かう方向の軸の周りにおいて前記筐体の少なくとも一部を囲み、前記筐体の前記少なくとも一部の周りで前記軸を中心とした回転が可能である。前記ストッパ部は、前記筐体及び前記環状部と前記軸に沿って当接し、前記環状部から前記筐体が引き抜かれないように、前記環状部の前記軸に沿った前記筐体との相対的な位置の変化を制限する。前記ストッパ部は、前記少なくとも一部と前記熱伝導層との間に設けられたストッパ部材を含む。前記ストッパ部材は、前記軸に沿ってみたときに前記少なくとも一部よりも外側の部分を有する。前記外側の部分の前記軸に対して垂直な方向に沿った一端から前記外側の部分の前記方向に沿った他端までの距離は、前記環状部のうちで前記少なくとも一部を囲む部分の前記方向に沿った幅よりも大きい。
本発明の別の実施形態によれば、筐体と、前記筐体の内部に設けられ、半導体発光装置を含む電気部品と、前記筐体の一端に取り付けられ前記電気部品で発生した熱が伝わる熱伝導層と、を含む照明装置を、構造体に取り付けるための照明装置用取り付け器具が提供される。前記照明装置用取り付け器具は、前記構造体に取り付けられる筒状部品であって、前記筒状部品は、下から上に向かう軸を取り囲む内側面の下部に設けられ、前記筐体の少なくとも一部の外側面と噛合する部分を有する前記筒状部品と、前記筒状部品の上、及び、前記筒状部品の上部の内側の少なくともいずれかに設けられた部分を有し、前記熱伝導層を介して前記電気部品で発生した熱を放熱する放熱部と、前記筒状部品及び前記放熱部と前記軸に沿って当接し、前記放熱部が前記筒状部品から取り外されないように、前記放熱部の前記軸に沿った前記筒状部品との相対的な位置の変化を制限しつつ、前記放熱部が前記筒状部品に対して前記軸を中心として回転可能とする器具ストッパ部と、を備える。
【図面の簡単な説明】
【０００７】
【図１】図１（ａ）及び図１（ｂ）は、第１の実施形態に係る照明装置の構成を例示する模式図である。
【図２】図２（ａ）〜図２（ｃ）は、第１の実施形態に係る照明装置の構成を例示する模式的側面図である。
【図３】第１の実施形態に係る照明装置の構成及び取り付け状態を例示する模式的斜視図である。
【図４】図４（ａ）〜図４（ｃ）は、第１の実施形態に係る照明装置の取り付け状態を例示する模式的側面図である。
【図５】第１の実施形態に係る別の照明装置の構成を例示する模式的断面図である。
【図６】図６（ａ）〜図６（ｃ）は、第１の実施形態に係る別の照明装置の取り付け状態を例示する模式的側面図である。
【図７】図７（ａ）〜図７（ｃ）は、第２の実施形態に係る照明装置用取り付け器具の構成を例示する模式的断面図である。
【図８】図８（ａ）〜図８（ｃ）は、第２の実施形態に係る照明装置用取り付け器具における取り付け状態を例示する模式図である。
【図９】図９（ａ）〜図９（ｄ）は、第２の実施形態に係る別の照明装置用取り付け器具の構成を例示する模式的断面図である。
【発明を実施するための形態】
【０００８】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施の形態）
図１（ａ）及び図１（ｂ）は、第１の実施形態に係る照明装置の構成を例示する模式図である。  
図１（ａ）は、平面図である。図１（ｂ）は、図１（ａ）のＡ１−Ａ２線断面図である。  
図１（ａ）及び図１（ｂ）に表したように、本実施形態に係る照明装置１１０は、発光部１０と、環状部２０と、ストッパ部３０と、を備える。
【００１０】
図２（ａ）〜図２（ｃ）は、第１の実施形態に係る照明装置の構成を例示する模式的側面図である。  
すなわち、図２（ａ）は、発光部１０、環状部２０及びストッパ部３０が組み合わされた状態の照明装置１１０を例示している。図２（ｂ）は、環状部２０を例示している。図２（ｃ）は、発光部１０及びストッパ部３０を例示している。以下、図１（ａ）、図１（ｂ）、図２（ａ）、図２（ｂ）及び図２（ｃ）を参照しつつ、照明装置１１０の構成の例について説明する。
【００１１】
発光部１０は、筐体１６と、電気部品１４と、熱伝導層１７と、を含む。  
電気部品１４は、筐体１６の内部に設けられる。電気部品１４は、半導体発光装置１１ａを含む。
【００１２】
この例では、電気部品１４は、発光基板部１１と、回路基板部１２と、を含む。発光基板部１１は、例えば、半導体発光装置１１ａと、発光基板１１ｂと、を含む。半導体発光装置１１ａは、発光基板１１ｂに実装されている。半導体発光装置１１ａには、例えばＬＥＤが用いられる。半導体発光装置１１ａには、ＬＥＤチップ、または、ＬＥＤチップを搭載するＬＥＤモジュールなどが用いられる。発光基板１１ｂは、半導体発光装置１１ａを実装するための実装基板である。
【００１３】
回路基板部１２は、回路部品１２ａと、回路基板１２ｂと、を含む。回路部品１２ａは、回路基板１２ｂに実装されている。回路部品１２ａは、例えば、半導体発光装置１１ａに供給される電流を制御するための制御回路として機能する。回路基板１２ｂは、回路部品１２ａを実装するための実装基板である。
【００１４】
この例では、電気部品１４は、絶縁部品１３をさらに含む。絶縁部品１３は、例えば、発光基板部１１と回路基板部１２とを電気的に絶縁する。上記は、電気部品１４の構成の１つの例であり、電気部品１４の構成は任意である。例えば、半導体発光装置１１ａが実装される基板の上に、回路部品１２ａの少なくとも一部が設けられても良い。
【００１５】
熱伝導層１７は、筐体１６の一端に取り付けられる。熱伝導層１７には、電気部品１４で発生した熱が伝わる。
【００１６】
ここで、電気部品１４から熱伝導層１７に向かう方向をＺ軸方向とする。Ｚ軸に対して垂直な１つの軸をＸ軸とする。Ｚ軸及びＸ軸に対して垂直な軸をＹ軸とする。
【００１７】
筐体１６は、挿入部１６ａと、胴部１６ｂと、を含む。挿入部１６ａは、後述するように、環状部２０の内側に挿入される部分である。胴部１６ｂは、挿入部１６ａと接続されている。挿入部１６ａ及び胴部１６ｂの内側に、電気部品１４が格納される。
【００１８】
半導体発光装置１１ａから放出された光は、電気部品１４から熱伝導層１７に向かう方向（図１（ｂ）における上方向）とは反対の方向（図１（ｂ）の下方向）に主に進行する。
【００１９】
以下では、説明を簡単にするために、適宜、電気部品１４から熱伝導層１７に向かう方向を上方向（＋Ｚ軸方向）と言い、熱伝導層１７から電気部品１４に向かう方向を下方向（−Ｚ軸方向）と言う場合がある。
【００２０】
筐体１６は、透光カバー１６ｃをさらに含むことができる。透光カバー１６ｃと熱伝導層１７との間に電気部品１４が配置される。透光カバー１６ｃは、半導体発光装置１１ａから放出された光の少なくとも一部を透過させる。透光カバー１６ｃは、半導体発光装置１１ａから放出された光を散乱させ、均一な光を供給する機能を有する。また、透光カバー１６ｃは、電気部品１４を保護する機能を有することができる。
【００２１】
環状部２０は、電気部品１４から熱伝導層１７に向かう方向の軸の周りにおいて筐体１６の少なくとも一部を囲む。ここで、Ｚ軸に沿って環状部２０をみたときの環状部２０の外接円の中心を通りＺ軸に対して平行な軸を中心軸Ｚｃとする。
【００２２】
環状部２０は、中心軸Ｚｃの周りにおいて筐体１６の少なくとも一部を囲む。この例では、環状部２０は、筐体１６のうちの挿入部１６ａを中心軸Ｚｃの周りにおいて取り囲む。
【００２３】
環状部２０うちで、筐体１６に取り囲まれる部分（この例では、挿入部１６ａ）には、金属が用いられる。この金属として、例えば、鉄やアルミニウムなどが用いられる。これにより、放熱性が向上する。
【００２４】
環状部２０は、例えば、上記の軸（中心軸Ｚｃ）の周りの側面のうちの外側の側面（外側面２１ｆ）に設けられたねじ山２１ｓを有する。
【００２５】
この例では、環状部２０は、筒状部２１と、ハンドル部２２と、を有する。筒状部２１は、中心軸Ｚｃの周りに設けられた筒状の部分である。ハンドル部２２は、筒状部２１に接合されている。ハンドル部２２は、筒状部２１から外側に突出している部分である。この例では、４つのハンドル部２２が設けられているが、ハンドル部２２の数は任意である。
【００２６】
環状部２０のねじ山２１ｓが筒状部２１の外側面２１ｆに設けられることで、外側面２１ｆにはねじ溝が形成される。ねじ山２１ｓは、後述するように、照明装置１１０の取り付け器具に、照明装置１１０を取り付ける際に用いられる。ただし、実施形態はこれに限らず、筒状部２１には、取り付け器具に噛合する任意の機構が設けられることができる。以下では、ねじ山２１ｓが設けられる場合として説明する。
【００２７】
環状部２０は、筐体１６の上記の少なくとも一部（この例では挿入部１６ａ）の周りで上記の軸（例えば中心軸Ｚｃ）を中心とした回転が可能である。中心軸Ｚｃを軸として、環状部２０と筐体１６との互いの相対的な角度は可変である。例えば、環状部２０は、筐体１６の挿入部１６ａの周りで中心軸Ｚｃを中心として、１回転（３６０度）以上の回転が可能である。
【００２８】
ストッパ部３０は、筐体１６及び環状部２０と、上記の軸（例えば中心軸Ｚｃ）に沿って当接する。ストッパ部３０は、環状部２０から筐体１６が引き抜かれないように、環状部２０の上記の軸（例えば中心軸Ｚｃ）に沿った筐体１６との相対的な位置の変化を制限する。すなわち、ストッパ部３０は、環状部２０と筐体１６とが相互に分離しないように、中心軸Ｚｃに沿った、筐体１６と環状部２０との相対的な位置の変化を制限する。
【００２９】
ストッパ部３０は、ストッパ部材３１（この例では球体）を含む。すなわち、ベアリング構造が設けられる。筐体１６の挿入部１６ａの外側面には、凹状（例えば穴孔、または溝状）の筐体凹部１６ｄが設けられている。筐体凹部１６ｄは、例えば、ストッパ部材３１（球体）の外形に沿う形状を有する。一方、環状部２０の筒状部２１の内側面には、凹状（例えば穴状、または溝状）の環状部凹部２１ｄが設けられている。環状部凹部２１ｄは、例えば、ストッパ部材３１（球体）の外形に沿う形状を有する。
【００３０】
ストッパ部材３１は、筐体凹部１６ｄと、環状部凹部２１ｄと、に当接する。ストッパ部材３１（球体）の直径は、環状部２０の筒状部２１と、筐体１６の挿入部１６ａと、の間の間隙の幅よりも大きい。これにより、筐体１６は、環状部２０から引き抜かれない。すなわち、筐体１６は、環状部２０から分離しない。環状部２０と筐体１６との中心軸Ｚｃに沿った相対的な位置の変化が、ストッパ部３０により制限される。ストッパ部３０は、環状部２０と筐体１６とが、中心軸Ｚｃを中心として、互いに回転することを妨げない。
【００３１】
これにより、実施形態に係る照明装置１１０においては、環状部２０から筐体１６が引き抜かれずに、環状部２０と筐体１６とは中心軸Ｚｃの周りで互いに回転可能となる。
【００３２】
図３は、第１の実施形態に係る照明装置の構成及び取り付け状態を例示する模式的斜視図である。  
この図においては、照明装置１１０に含まれる要素を分離して例示している。なお、この図においては、環状部２０のハンドル部２２は省略している。
【００３３】
図３に表したように、天井７０に、照明装置用取り付け器具５０が設けられている。照明装置用取り付け器具５０は筒状部品５１を有しており、筒状部品５１の内側の側面に、ねじ溝５１ｓが設けられている。
【００３４】
照明装置１１０は、天井７０に設けられた照明装置用取り付け器具５０に取り付けられる。すなわち、照明装置１１０の環状部２０のねじ山２１ｓと、照明装置用取り付け器具５０のねじ溝５１ｓと、が互いに噛合する。そして、環状部２０を回転させることで、照明装置１１０は、矢印Ａｒで示した上方向に移動し、固定される。
【００３５】
図４（ａ）〜図４（ｃ）は、第１の実施形態に係る照明装置の取り付け状態を例示する模式的側面図である。  
図４（ａ）に表したように、天井７０に、照明装置用取り付け器具５０が設けられている。照明装置用取り付け器具５０は、筒状部品５１と、放熱部５２と、を有する。放熱部５２は、筒状部品５１の上面に接続されている。筒状部品５１の内側に、照明装置１１０の環状部２０が挿入される。筒状部品５１の内側の側面にねじ溝５１ｓが設けられている。図４（ａ）に表したように、筒状部品５１の開口部に、環状部２０を対向させる。そして、中心軸Ｚｃを中心にして環状部２０を回転させる。このとき、例えば、環状部２０のハンドル部２２を用いて環状部２０を回転させる。
【００３６】
これにより、図４（ｂ）に表したように、環状部２０は、照明装置用取り付け器具５０の筒状部品５１の中に挿入される。
【００３７】
さらに、環状部２０を回転させることで、図４（ｃ）に表したように、照明装置１１０の熱伝導層１７が、照明装置用取り付け器具５０の放熱部５２に接触する。
【００３８】
環状部２０をさらに回転させると、熱伝導層１７と放熱部５２との互いの接触により、熱伝導層１７（及び筐体１６）が回転しない状態で、環状部２０が回転する。そして、熱伝導層１７と放熱部５２とが互いに密着した状態で、環状部２０の回転を終了する。
【００３９】
このように、実施形態に係る照明装置１１０においては、環状部２０と筐体１６とが中心軸Ｚｃの周りで互いに回転可能であるため、筐体１６及び熱伝導層１７を回転させないで、環状部２０のみを回転させることができる。そして、ストッパ部３０を設けているため、環状部２０から筐体１６が引き抜かれない。このため、取り付け作業中、及び、取り付けた後にも、環状部２０から筐体１６が落下することがない。
【００４０】
熱伝導層１７には、例えば、熱伝導性が高いシリコーン樹脂などを薄いフィルムなどの中に封止したシート体などが用いられる。また、熱伝導層１７には、例えば、熱伝導性が高いシリコーン樹脂などのペースト、または、それの固形物（固体）などが用いられる。発光部１０の電気部品１４で発生した熱は、熱伝導層１７を介して放熱部５２に伝達され、放熱される。これにより、電気部品１４の熱が効率良く拡散し、半導体発光装置１１ａの温度上昇が抑制される。
【００４１】
一般に、電子部品の放熱性を向上させるために、熱伝導シート（例えば放熱シート）などが用いられる。熱伝導シートは、高い熱伝導率を維持するため、他の部品との密着力が高くなるように設計される。このため、熱伝導シートは柔らかい。そして、例えば熱伝導シートの封止のためのフィルムなどの厚さは薄く設計される。このため、熱伝導シートの機械的耐性は低い。
【００４２】
発明者は、このような熱伝導層（例えば熱導電シートなど）を用いて照明装置を作製したときに、熱伝導層の機械的耐性が低いことが実用上問題になることを見出した。
【００４３】
例えば、照明装置１１０に類似の構成において、環状部２０と筐体１６とが互いに回転できない構造、または、環状部２０が設けられず、筐体１６にねじ山が設けられている構造を有する参考例の照明装置１１６（図示しない）の場合には、照明装置１１６の全体を回転させて照明装置用取り付け器具５０に取り付けることになる。このとき、照明装置１１６をある程度回転させると、熱伝導層１７が放熱部５２に接触する。そして、熱伝導層１７と放熱部５２とを互いに密着させるために、照明装置１１６をさらに回転させると、熱伝導層１７と放熱部５２との摩擦により、熱伝導層１７に応力（横方向の応力であり、例えば剪断応力）が加わる。そして、この応力によって熱伝導層１７が破壊される場合があることが判明した。
【００４４】
半導体発光装置１１ａを用いる照明装置においては、寿命を向上させるために、高い放熱性を得ることが重要であり、これを実現するために熱伝導層を採用する構成が特に重要になる。従来の電気抵抗型や蛍光ランプ型の照明装置においては、半導体発光装置を用いる場合に比べて熱が寿命に与える影響が小さい。このため、熱伝導層を採用する必要がなかった。このため、従来の照明装置においては、高い放熱性を得るための特別な構成への要求が低かった。
【００４５】
発明者は、半導体発光装置１１ａを用いた長寿命の照明装置を実現するために、熱伝導層１７を採用したときに、高い密着性を得ようとすると熱伝導層１７が破壊されることが問題になることを見出した。この新たに見出された課題を解決するために、実施形態に係る構成が構築された。
【００４６】
すなわち、実施形態に係る照明装置１１０においては、半導体発光装置１１ａを囲む筐体１６の一端に、熱伝導層１７を設ける。そして、筐体１６の一部を囲み、筐体１６の周りで回転が可能な環状部２０を設ける。そして、環状部２０から筐体１６が引き抜かれないためのストッパ部３０を設ける。これにより、照明装置１１０を取り付ける際に、筐体１６及び熱伝導層１７を回転させないで、環状部２０のみを回転させ、熱伝導層１７が破壊されずに熱伝導層１７を放熱部５２に密着できる。そして、ストッパ部３０により、取り付け作業中、及び、取り付けた後にも、環状部２０から筐体１６が落下しない。このように、照明装置１１０においては、取り付け作業が簡便で、高い放熱性を実現する照明装置が提供できる。
【００４７】
照明装置１１０においては、ストッパ部３０としてベアリング構造が用いられている。すなわち、筐体１６は、挿入部１６ａ（環状部２０に囲まれる上記の少なくとも一部）の外側面に設けられた凹状の筐体凹部１６ｄを有する。一方、環状部２０は、環状部２０の内側面において筐体凹部１６ｄと対向する凹状の環状部凹部２１ｄを有する。ストッパ部３０は、ストッパ部材３１（この例では球体）を含む。ストッパ部材３１は、筐体凹部１６ｄと環状部凹部２１ｄとの間の部分を有する。ストッパ部材３１の中心軸Ｚｃに対して垂直な方向に沿った幅は、筐体１６と環状部２０との間の間隙よりも大きい。この構成により、環状部２０から筐体１６が引き抜かれないで、環状部２０は、筐体１６の挿入部１６ａの周りで中心軸Ｚｃを中心とした回転が可能になる。
【００４８】
特に、上記のように、ストッパ部材３１は球体であることが望ましい。筐体凹部１６ｄは、例えば、ストッパ部材３１（球体）の外形に沿う形状を有する。環状部凹部２１ｄは、例えば、ストッパ部材３１（球体）の外形に沿う形状を有する。ストッパ部材３１が球体であることにより、環状部２０の挿入部１６ａの周りでの回転が滑らかになり、取り付けがより簡単になる。
【００４９】
ただし、実施形態はこれに限らず、ストッパ部３０の構成は任意である。例えば、筐体凹部１６ｄが溝状であり、環状部凹部２１ｄが溝状でも良い。また、ストッパ部材３１は球体でなくても良い。例えば、筐体凹部１６ｄ及び環状部凹部２１ｄが溝状であり、ストッパ部材３１がリング体でも良い。リング体の一部がこれらの溝に挿入される。
【００５０】
図５は、第１の実施形態に係る別の照明装置の構成を例示する模式的断面図である。  
図５に表したように、本実施形態に係る別の照明装置１１１においては、ストッパ部３０は、ストッパ部材３２を含む。ストッパ部材３２は、挿入部１６ａ（筐体１６のうちで環状部２０に囲まれる上記の少なくとも一部）と、熱伝導層１７と、の間に設けられる。この例では、ストッパ部材３２は板状である。ストッパ部材３２を中心軸Ｚｃに沿ってみたときに、ストッパ部材３２は、挿入部１６ａよりも外側の部分を有する。その外側の部分の中心軸Ｚｃに対して垂直な方向に沿った一端からその外側の部分のその方向に沿った他端までの距離は、筒状部２１（環状部２０のうちで挿入部１６ａを囲む部分）のその方向に沿った幅よりも大きい。
【００５１】
ストッパ部材３２は、筐体１６の挿入部１６ａの熱伝導層１７の側の端に設けられている。ストッパ部材３２の上に熱伝導層１７が設けられる。ストッパ部材３２の幅（中心軸Ｚｃに対して垂直な方向の長さ）は、環状部２０の幅（中心軸Ｚｃに対して垂直な方向の長さ）よりも大きい。例えば、挿入部１６ａが環状部２０に挿入された後に、ストッパ部材３２が挿入部１６ａに固定され、さらに、その上に熱伝導層１７が固定される。
【００５２】
照明装置１１１においても、環状部２０は、筐体１６の挿入部１６ａの周りで、摺動し、中心軸Ｚｃを中心とした回転が可能である。
【００５３】
図６（ａ）〜図６（ｃ）は、第１の実施形態に係る別の照明装置の取り付け状態を例示する模式的側面図である。  
図６（ａ）に表したように、天井７０に照明装置用取り付け器具５０が取り付けられている。照明装置用取り付け器具５０の筒状部品５１の開口部に、環状部２０を対向させる。そして、中心軸Ｚｃを中心にして環状部２０を回転させる。
【００５４】
図６（ｂ）に表したように、環状部２０は、照明装置用取り付け器具５０の筒状部品５１の中に挿入される。さらに、環状部２０を回転させ、図６（ｃ）に表したように、熱伝導層１７が、照明装置用取り付け器具５０の放熱部５２に接触する。環状部２０をさらに回転させると、熱伝導層１７と放熱部５２との互いの接触により、熱伝導層１７（及び筐体１６）が回転しない状態で、環状部２０が回転する。そして、熱伝導層１７と放熱部５２とが互いに密着した状態で、環状部２０の回転を終了する。
【００５５】
この構造においても、照明装置１１１を取り付ける際に、筐体１６及び熱伝導層１７を回転させないで、環状部２０のみを回転させ、熱伝導層１７が破壊されずに放熱部５２に密着できる。そして、ストッパ部材３２により、取り付け作業中、及び、取り付けた後にも、環状部２０から筐体１６が落下しない。照明装置１１１においても、取り付け作業が簡便で、高い放熱性を実現する照明装置が提供される。
【００５６】
なお、この構成においては、熱伝導層１７は、別の部材（ストッパ部材３２）介して、筐体１６の一端に取り付けられている。
【００５７】
また、例えば、ストッパ部３０は、挿入部１６ａ（上記少なくとも一部）と熱伝導層１７との間に設けられ、中心軸Ｚｃに沿ってみたときに挿入部１６ａよりも外側の部分（ストッパ部材３２の外側の部分）を有することができる。そして、上記外側の部分のＸ軸方向（中心軸Ｚｃに対して垂直な方向）に沿った一端から、上記の外側の部分のＸ軸方向に沿った他端までの距離は、筒状部２１（環状部２０のうちで挿入部１６ａを囲む部分）のＸ軸方向に沿った幅よりも大きい。  
このように、ストッパ部３０の構成は、その機能を果たす限り任意である。
【００５８】
（第２の実施形態）  
図７（ａ）〜図７（ｃ）は、第２の実施形態に係る照明装置用取り付け器具の構成を例示する模式的断面図である。  
すなわち、図７（ａ）は、本実施形態に係る照明装置用取り付け器具５０ａの構成を例示している。図７（ｂ）は、照明装置用取り付け器具５０ａにより取り付けられる照明装置１１６の構成を例示している。図７（ｃ）は、照明装置用取り付け器具５０ａへの照明装置１１６の取り付け状態を例示している。
【００５９】
図７（ｂ）に表したように、照明装置１１６は、筐体１６と、電気部品１４と、熱伝導層１７と、を含む。筐体１６は、例えば、筐体１６の少なくとも一部の外側面１６ｆに設けられたねじ山１６ｓを有する。ただし、実施形態は、これに限らず、筐体１６の外側面１６ｆには、照明装置用取り付け器具５０ａと噛合する任意の機構が設けられても良い。以下では、ねじ山１６ｓが設けられる場合として説明する。
【００６０】
この例では、筐体１６は、挿入部１６ａと、胴部１６ｂと、透光カバー１６ｃと、を有している。挿入部１６ａの外側面１６ｆにねじ山１６ｓが設けられている。
【００６１】
電気部品１４は、筐体１６の内部に設けられる。筐体１６は、半導体発光装置１１ａを含む。この他、筐体１６は、第１の実施形態に関して説明した種々の部品をさらに含むことができる。これらに関しては説明を省略する。
【００６２】
熱伝導層１７は、筐体１６の一端（上端）に取り付けられる。熱伝導層１７には、電気部品１４で発生した熱が伝わる。
【００６３】
本実施形態に係る照明装置用取り付け器具５０ａは、このような照明装置１１６を構造体（例えば天井７０）に取り付けるための器具である。
【００６４】
図７（ａ）に表したように、本実施形態に係る照明装置用取り付け器具５０ａは、筒状部品５１と、放熱部５２と、器具ストッパ部８０と、を備える。  
筒状部品５１は、構造体（例えば天井７０）に取り付けられる。筒状部品５１は、筐体１６の少なくとも一部の外側面１６ｆと噛合する部分を有する。この部分は、筒状部品５１のうちで下から上に向かう軸（例えば中心軸Ｚｃ）を取り囲む内側面の下部に設けられる。例えば、筒状部品５１は、ねじ溝５１ｓを有する。ねじ溝５１ｓは、筒状部品５１のうちで中心軸Ｚｃを取り囲む内側面の下部に設けられる。ねじ溝５１ｓは、照明装置１１６のねじ山１６ｓと噛合する。ただし、実施形態はこれに限らず、筒状部品５１には、筐体１６と噛合する任意の機構を設けることができる。以下では、筒状部品５１にねじ溝５１ｓが設けられる場合として説明する。
【００６５】
放熱部５２は、筒状部品５１の上、及び、筒状部品５１の上部の内側の少なくともいずれかに設けられた部分を有する。この例では、放熱部５２は、筒状部品５１の上部において筒状部品５１の内側に保持される。放熱部５２は、熱伝導層１７を介して電気部品１４で発生した熱を放熱する。
【００６６】
器具ストッパ部８０は、筒状部品５１及び放熱部５２と、上記の軸（例えば中心軸Ｚｃ）に沿って当接する。器具ストッパ部８０は、放熱部５２が筒状部品５１から取り外されないように、放熱部５２の上記の軸に沿った筒状部品５１との相対的な位置の変化を制限する。器具ストッパ部８０は、放熱部５２が筒状部品５１に対して上記の軸を中心として回転可能とする。
【００６７】
この例では、器具ストッパ部８０は、球体の器具ストッパ部材８１を含む。すなわち、この例では、ベアリング構造が採用されている。  
具体的には、放熱部５２は、放熱部５２の外側面に設けられた凹状の放熱部凹部５２ｄを有する。筒状部品５１は、筒状部品５１の内側面において放熱部凹部５２ｄと対向する凹状の筒状部品凹部５１ｄを有する。器具ストッパ部材８１は、放熱部凹部５２ｄと筒状部品凹部５１ｄとの間の部分を有する。器具ストッパ部材８１の上記の軸（例えば中心軸Ｚｃ）に対して垂直な方向沿った幅は、放熱部５２と筒状部品５１との間の間隙よりも大きい。これにより、放熱部５２が筒状部品５１から取り外されないように、放熱部５２の中心軸Ｚｃに沿った筒状部品５１との相対的な位置の変化が制限され、かつ、放熱部５２は筒状部品５１に対して中心軸Ｚｃを中心として回転することができる。
【００６８】
この例では、器具ストッパ部材８１は球体である。放熱部凹部５２ｄは、例えば、この球体の外形に沿う形状を有する。筒状部品凹部５１ｄは、例えば、この球体の外形の沿う形状を有している。
【００６９】
図７（ｃ）に表したように、照明装置１１６のねじ山１６ｓと、筒状部品５１のねじ溝５１ｓとが互いに噛合する。そして、熱伝導層１７が放熱部５２に密着している。
【００７０】
図８（ａ）〜図８（ｃ）は、第２の実施形態に係る照明装置用取り付け器具における取り付け状態を例示する模式図である。  
これらの図においては、図を見やすくするために、照明装置用取り付け器具５０ａを断面図で示し、照明装置１１６は側面図で示している。
【００７１】
図８（ａ）に表したように、構造体（天井７０）に、照明装置用取り付け器具５０ａが取り付けられる。筒状部品５１の開口部に、照明装置１１６を対向させる。そして、中心軸Ｚｃを中心にして照明装置１１６を回転させる。
【００７２】
これにより、図８（ｂ）に表したように、照明装置１１６の一部が、照明装置用取り付け器具５０ａの筒状部品５１の中に挿入される。
【００７３】
さらに、照明装置１１６を回転させることで、図８（ｃ）に表したように、熱伝導層１７が、照明装置用取り付け器具５０ａの放熱部５２に接触する。
【００７４】
照明装置１１６をさらに回転させると、熱伝導層１７と放熱部５２との互いの接触により、放熱部５２は熱伝導層１７と一緒に回転しながら、照明装置１１６が回転する。そして、熱伝導層１７と放熱部５２とが互いに密着した状態で、照明装置１１６の回転を終了する。
【００７５】
これにより、熱伝導層１７に応力（横方向の応力であり、例えば剪断応力）が加わらない状態で、熱伝導層１７と放熱部５２とを互いに密着させることができる。
【００７６】
本実施形態係る照明装置用取り付け器具５０ａによれば、取り付け作業が簡便で、高い放熱性を実現する照明装置用取り付け器具が提供できる。
【００７７】
照明装置用取り付け器具５０ａにおいて、器具ストッパ部８０の構成は任意である。例えば、筒状部品凹部５１ｄが溝状であり、放熱部凹部５２ｄが溝状でも良い。また、器具ストッパ部材８１は球体でなくても良い。例えば、筒状部品凹部５１ｄ及び放熱部凹部５２ｄが溝状であり、器具ストッパ部材８１がリング体でも良い。このとき、リング体の一部がこれらの溝に挿入される。
【００７８】
図９（ａ）〜図９（ｄ）は、第２の実施形態に係る別の照明装置用取り付け器具の構成を例示する模式的断面図である。  
図９（ａ）に表したように、本実施形態に係る別の照明装置用取り付け器具５０ｂにおいては、器具ストッパ部８０として、環状の器具ストッパ部材８２が用いられている。この器具ストッパ部材８２は、筒状部品５１上に固定されている。放熱部５２には、中心軸Ｚｃに対して垂直な方向に沿って突出した突出部５２ｐが設けられている。例えば、筒状部品５１の上に放熱部５２を置き、その後、筒状部品５１の器具ストッパ部材８２を固定する。これにより、突出部５２ｐは、筒状部品５１と器具ストッパ部材８２とに挟まれる。この場合も、放熱部５２が筒状部品５１から取り外されず、放熱部５２は筒状部品５１に対して中心軸Ｚｃを中心として回転することができる。突出部５２ｐの形状は、例えば放熱部５２の外縁に沿って連続的に設けられた環状である。また、突出部５２ｐの形状は、放熱部５２の外縁に不連続的に設けられたピン状でも良い。
【００７９】
図９（ｂ）に表したように、本実施形態に係る別の照明装置用取り付け器具５０ｃにおいては、放熱部５２が、第１部分５２ｑと、第１部分５２ｑに取り付けられた第２部分５２ｒと、を有する。第２部分５２ｒの中心軸Ｚｃに対して垂直な方向に沿う一端と、その方向に沿う他端と、の間の幅は、第１部分５２ｑのその方向に沿う幅よりも大きい。さらに、器具ストッパ部８０として、環状の器具ストッパ部材８３が用いられている。この器具ストッパ部材８３は、筒状部品５１上に固定されている。第２部分５２ｒは、筒状部品５１と器具ストッパ部材８３とに挟まれる。この場合も、放熱部５２が筒状部品５１から取り外されず、放熱部５２は筒状部品５１に対して中心軸Ｚｃを中心として回転することができる。なお、第１部分５２ｑを放熱部５２と見なし、第２部分５２ｒ及び器具ストッパ部材８３を器具ストッパ部８０と見なすこともできる。
【００８０】
第１部分５２ｑは、例えば円板状である。第２部分５２ｒも、例えば円板状である。また、第２部分５２ｒは、第１部分５２ｑの外縁に不連続的に設けられたピン状でも良い。
【００８１】
図９（ｃ）に表したように、本実施形態に係る別の照明装置用取り付け器具５０ｄにおいては、放熱部５２に突出部５２ｐが設けられている。そして、器具ストッパ部８０として、溝が設けられた器具ストッパ部材８４が用いられている。器具ストッパ部材８４は、筒状部品５１に固定されている。器具ストッパ部材８４は、例えば複数設けられ、複数の器具ストッパ部材８４のそれぞれの溝に突出部５２ｐが入るように、複数の器具ストッパ部材８４が筒状部品５１に固定される。この場合も、放熱部５２が筒状部品５１から取り外されず、放熱部５２は筒状部品５１に対して中心軸Ｚｃを中心として回転することができる。
【００８２】
図９（ｄ）に表したように、本実施形態に係る別の照明装置用取り付け器具５０ｅにおいては、筒状部品５１の上部に上側部品５３が設けられている。放熱部５２は、筒状部品５１の内側に設けられる。そして、器具ストッパ部８０として、筒状部品５１の内側において、筒状部品５１に固定された環状の器具ストッパ部材８５が用いられている。例えば、環状の器具ストッパ部材８５の外側の側面にはねじ山が設けられている。このねじ山は、筒状部品５１のねじ溝５１ｓと噛合する。これにより、器具ストッパ部材８５は、筒状部品５１に固定され、放熱部５２を支える。この場合も、放熱部５２が筒状部品５１から取り外されず、放熱部５２は筒状部品５１に対して中心軸Ｚｃを中心として回転することができる。
【００８３】
なお、上側部品５３は、筒状部品５１と別体として設けられても良い。この場合には、上側部品５３及び器具ストッパ部材８５が器具ストッパ部８０に含まれるものと見なすことができる。上側部品５３は、例えば円板状である。ただし、実施形態はこれに限らない。上側部品５３は、例えばピン状でも良く、上側部品５３と器具ストッパ部材８５との間に放熱部５２の少なくとも一部は挟まれれば、上側部品５３及び器具ストッパ部材８５の構成は任意である。
【００８４】
さらに、上記の他、放熱部５２が筒状部品５１から取り外されず、放熱部５２は筒状部品５１に対して中心軸Ｚｃを中心として回転することができる任意の構成を用いることができる。
【００８５】
実施形態によれば、取り付け作業が簡便で、高い放熱性を実現する照明装置及び照明装置用取り付け器具が提供される。
【００８６】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００８７】
以上、具体例を参照しつつ、本発明の実施の形態について説明した。しかし、本発明の実施形態は、これらの具体例に限定されるものではない。例えば、照明装置に含まれる発光部、筐体、半導体発光装置、電気部品、熱伝導層、環状部及びストッパ部、並びに、照明装置取り付け器具に含まれる筒状部品、放熱部及び器具ストッパ部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００８８】
その他、本発明の実施の形態として上述した照明装置及び照明装置用取り付け器具を基にして、当業者が適宜設計変更して実施し得る全ての照明装置及び照明装置用取り付け器具も、本発明の要旨を包含する限り、本発明の範囲に属する。
【００８９】
その他、本発明の思想の範疇において、当業者であれば、各種の変更例及び修正例に想到し得るものであり、それら変更例及び修正例についても本発明の範囲に属するものと了解される。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１０…発光部、  １１…発光基板部、  １１ａ…半導体発光装置、  １１ｂ…発光基板、  １２…回路基板部、  １２ａ…回路部品、  １２ｂ…回路基板、  １３…絶縁部材、  １４…電気部品、  １６…筐体、  １６ａ…挿入部、  １６ｂ…胴部、  １６ｃ…透光カバー、  １６ｄ…筐体凹部、  １６ｆ…外側面、  １６ｓ…ねじ山、  １７…熱伝導層、  ２０…環状部、  ２１…筒状部、  ２１ｄ…環状部凹部、  ２１ｆ…外側面、  ２１ｓ…ねじ山、  ２２…ハンドル部、  ３０…ストッパ部、  ３１、３２…ストッパ部材、  ５０、５０ａ、５０ｂ、５０ｃ、５０ｄ、５０ｅ…照明装置用取り付け器具、  ５１…筒状部品、  ５１ｄ…筒状部品凹部、  ５１ｓ…ねじ溝、  ５２…放熱部、  ５２ｄ…放熱部凹部、  ５２ｐ…突出部、  ５２ｑ…第１部分、  ５２ｒ…第２部分、  ５３…上側部分、  ７０…天井（構造体）、  ８０…器具ストッパ部、  ８１〜８５…器具ストッパ部材、  １１０、１１１、１１６…照明装置、  Ａｒ…矢印、  Ｚｃ…中心軸
【図１】
0005606370.tif 000002
【図２】
0005606370.tif 000003
【図３】
0005606370.tif 000004
【図４】
0005606370.tif 000005
【図５】
0005606370.tif 000006
【図６】
0005606370.tif 000007
【図７】
0005606370.tif 000008
【図８】
0005606370.tif 000009
【図９】
0005606370.tif 000010